(57)【要約】【課題】時分割多重方式でマスタ１台に対し複数のスレーブが接続され、マスタから自端末以外のスレーブに対してマルチスロットパケットが送信される場合、マルチスロットパケットの送信期間の受信スロットでも受信してしまうため、消費電力が大きくなるという問題があった。【解決手段】マスタ端末からのパケットを受信してパケット解読する受信部１１０と、解読結果が他のスレーブ端末へのマルチスロットパケットであるときに、マルチスロットパケットの送信期間を算出する他端末宛マルチスロットパケット推定部１２０と、その推定部１２０からの送信期間の情報Ｓｐを受けて受信部１１０の動作を有効または無効に制御する受信動作制御部１３０とを具備する。マルチスロットパケットのヘッダー情報からマルチスロットパケットの送信期間を求め、その送信期間における自端末の受信スロットでは受信動作を停止する。【選択図】  図１
2004228930.tif 000002
【特許請求の範囲】
【請求項１】
１つのマスタ端末と複数のスレーブ端末とから構成され時分割多重で接続される無線システムにおいて、
前記マスタ端末からのパケットを受信してパケット解読する受信部と、
前記パケット解読結果が前記マスタ端末と他のスレーブ端末との間での複数のタイムスロットに跨るマルチスロットパケットを示すときに、前記マルチスロットパケットの送信期間を算出する他端末宛マルチスロットパケット推定部と、
前記他端末宛マルチスロットパケット推定部からの前記送信期間の情報を受けて前記受信部の動作を有効または無効に制御する受信動作制御部とを具備する無線端末。
【発明の詳細な説明】
【０００１】
【発明の属する技術分野】
本発明は、無線通信規格のＢｌｕｅｔｏｏｔｈに代表される時分割多重による多元接続が可能で、かつ複数のタイムスロットに跨るパケット（マルチスロットパケット）を送受信する無線通信方式に利用される無線端末に関するものである。
【０００２】
【従来の技術】
従来の無線通信規格のＢｌｕｅｔｏｏｔｈに代表される時分割多重による多元接続が可能で、かつ複数のタイムスロットに跨るパケットであるマルチスロットパケットを送受信する無線通信方式は、マスタ１台に対してスレーブ複数台が接続される。従来の無線通信方式で、マスタが自端末以外のスレーブに対してマルチスロットパケットを送信している場合に、自端末はマルチスロットパケットの送信期間中でも、受信予定スロットでは受信動作を行っている（例えば、図５及び非特許文献１参照）。
【０００３】
【非特許文献１】
“Ｂｌｕｅｔｏｏｔｈガイドブック”、宮津和弘著、２０００年８月２８日初版、日刊工業新聞社
【０００４】
【発明が解決しようとする課題】
従来の技術では、マスタが自端末以外のスレーブに対してマルチスロットパケットを送信している場合、自端末はマルチスロットパケットの送信期間中でも、受信予定スロットでは受信動作を行うようになっているため、受信部が無駄な動作をし、消費電力が増大するという問題があった。
【０００５】
本発明は、このような事情に鑑みて創作したものであり、マスタが自端末以外のスレーブに対してマルチスロットパケットの送信期間における受信部の無駄な消費電力を削減することを目的とする。
【０００６】
【課題を解決するための手段】
上記の課題を解決するために、本発明は次のような手段を講じる。すなわち、本発明の無線端末は、１つのマスタ端末と複数のスレーブ端末とから構成され時分割多重で接続される無線システムにおいて、前記マスタ端末からのパケットを受信してパケット解読する受信部と、前記パケット解読結果が前記マスタ端末と他のスレーブ端末との間での複数のタイムスロットに跨るマルチスロットパケットを示すときに、前記マルチスロットパケットの送信期間を算出する他端末宛マルチスロットパケット推定部と、前記他端末宛マルチスロットパケット推定部からの前記送信期間の情報を受けて前記受信部の動作を有効または無効に制御する受信動作制御部とを具備するものである。
【０００７】
この構成によれば、各スレーブ端末は、その受信部において、マスタ端末からのパケットを受信し、そのヘッダー情報を解読し、解読結果が、マスタ端末と他のスレーブ端末との間でのマルチスロットパケットを示すときは、その解読結果を他端末宛マルチスロットパケット推定部に伝える。解読結果を受けた他端末宛マルチスロットパケット推定部は、そのマルチスロットパケットの送信期間を算出し、その送信期間の情報を受信動作制御部に送出する。その送信期間の情報を受けた受信動作制御部は、その送信期間において、受信部の動作を無効にするよう制御を行う。この結果、マスタ端末との間の通信が自端末宛てでないマルチスロットパケットの場合には、受信部を停止させて消費電力を削減することができる。
【０００８】
【発明の実施の形態】
以下、本発明にかかわる無線端末の実施の形態を図面に基づいて詳細に説明する。
【０００９】
図１は本発明の実施の形態における無線端末の構成を示すブロック図である。図１において、１００は無線端末、１１０はＲＦ受信部１１１とパケット解読部１１２からなる受信部、１２０は他端末宛マルチスロットパケット推定部、１３０は受信動作制御部である。
【００１０】
ＲＦ受信部１１１は、マスタ端末からスレーブ端末への無線通信を受信するように構成され、パケット解読部１１２は、ＲＦ受信部１１１が受信したパケットを解読し、送信相手先アドレスに基づいて自端末宛か他端末宛かを判断するように構成されている。
【００１１】
マスタ１台に対しスレーブ複数台が接続され、かつマスタからあるスレーブである特定スレーブにマルチスロットパケットを送信する状況において（図４参照）、特定スレーブ以外の非特定スレーブの無線端末は、ＲＦ受信部１１１で受信したパケット２００（代表的なパケット構造を図２に示す）について、パケット解読部１１２は送信相手先アドレス２０１から自端末宛てのパケットではないと判断し、かつパケットタイプ２０２からマルチスロットパケット３００であると判断した場合、他端末宛マルチスロットパケット推定部１２０はパケットタイプからマルチスロットパケットの送信期間を算出し、その送信期間の情報Ｓｐを受信動作制御部１３０に送出する。送信期間の情報Ｓｐを受けた受信動作制御部１３０は、その送信期間中において（ヘッダー部は除く）、非特定スレーブ受信期間信号Ｓ０を無効状態（“Ｌ”レベル）に保ち、受信部１１０の動作を停止させ、無駄な電力消費を防止する（図３参照）。
【００１２】
【発明の効果】
以上のように本発明によれば、マスタから他のスレーブへ送信されるマルチスロットパケットを検出し、マルチスロットパケットの送信期間は受信動作を停止するので、消費電力を削減することができる。
【図面の簡単な説明】
【図１】本発明の実施の形態における無線端末の構成を示すブロック図
【図２】パケット構造の説明図
【図３】本発明の実施の形態における無線端末によるマルチスロットパケット受信による低消費電力モード開始の例を示す動作波形図
【図４】マスタと複数スレーブとの間の無線通信の状態を示す概念図
【図５】従来の技術における無線通信のパケット送受信の例を示す動作波形図
【符号の説明】
１００  無線端末
１１０  受信部
１１１  ＲＦ受信部
１１２  パケット解読部
１２０  他端末宛マルチスロットパケット推定部
１３０  受信動作制御部
３００  マルチスロットパケット
Ｓ０  非特定スレーブ受信期間信号
Ｓｐ  送信期間の情報
【図１】
2004228930.tif 000003
【図２】
2004228930.tif 000004
【図３】
2004228930.tif 000005
【図４】
2004228930.tif 000006
【図５】
2004228930.tif 000007